(57)【要約】【課題】製造工程において、ハードディスクドライブの全ての領域を検査する場合よりも短時間でハードディスクドライブの良否判定を行うハードディスクドライブの検査方法を提供することである。【解決手段】製造工程におけるハードディスクドライブの検査方法において、全プラッター３１、３２、３３の各記録面３１ａ、３１ｂ、３２ａ、３２ｂ、３３ａ、３３ｂの始端及び終端を含む所定の一部領域について読取り検査した結果からハードディスクドライブの良否判定を行うこととする。【選択図】図２Ａ
2012048778.tif 000002
【特許請求の範囲】
【請求項１】
製造工程におけるハードディスクドライブの検査方法において、
全プラッターの各記録面の始端及び終端を含む所定の一部領域について読取り検査した結果からハードディスクドライブの良否判定を行うことを特徴とするハードディスクドライブの検査方法。
【請求項２】
前記所定の一部領域は、ハードディスクドライブの容量に対する指定割合に基づいて決定することを特徴とする請求項１記載のハードディスクドライブの検査方法。
【請求項３】
前記読取り検査に加え書込み検査を行うことを特徴とする請求項１又は２記載のハードディスクドライブの検査方法。
【請求項４】
ハードディスクドライブを備え、請求項１〜３の何れかに記載のハードディスクドライブの検査方法を実行する記録再生装置。
【発明の詳細な説明】
【技術分野】
【０００１】
本発明は、製造工程におけるハードディスクドライブの検査方法及びその検査方法を実行する記録再生装置に関する。
【背景技術】
【０００２】
近年、ハードディスクドライブ（ＨＤＤ）の小型化や大容量化に伴い、ＨＤＤは様々な記録再生装置に搭載されるようになっている。ここでＨＤＤは非常に精密なため運搬中や製造中の振動や衝撃によって故障するケースがある。そのため、一般に記録再生装置の製造工程においては、ＨＤＤの書込み／読取り検査を行い、不良がないか確認している。ＨＤＤの検査方法は以下に例示するような様々な方法が提案されている。
【０００３】
例えば特許文献１には、ＨＤＤに記録されたデータの抜き取り領域を指定する検査領域設定工程と、ＨＤＤから取得するデータのサイズを設定するデータサイズ設定工程と、ＨＤＤから取得するデータの開始セクターを決定する開始セクター決定工程と、開始セクター決定工程で決定した開始セクターからデータサイズ設定工程で設定したサイズ分の第１データおよび第２データを読み取るデータ取得工程と、データ取得工程で読み取った第１データを開始セクターから書き込むデータ記録工程と、再び開始セクターから第２データを読み取って第１データと比較するデータ比較工程を有し、データサイズ設定工程で設定したデータのサイズと開始セクター決定工程で決定した開始セクターを用いて、検査領域設定工程で設定された抜き取り領域に記録されたデータを、繰り返し抜き取って比較するハードディスクドライブのデータ読みとり検査方法が開示されている。
【０００４】
また特許文献２のランダムアクセスデバイス評価装置および方法には、ハードディスク装置等のランダムアクセスデバイスにおいて、ヘッドを実際にランダムシークさせてデータ書込み／読出しを行い、ランダムアクセス動作を評価すると記載されている。
【０００５】
また特許文献３の磁気ディスク装置及びディスク制御装置には、磁気ヘッド診断処理時間を短縮するために、各磁気ヘッド毎の診断領域を磁気記録媒体上、磁気ヘッド切り替え処理時間分ずらして配置することが記載されている。
【先行技術文献】
【特許文献】
【０００６】
【特許文献１】特開２００９−８７４７９号公報
【特許文献２】特開平１０−１８８４７６号公報
【特許文献３】特開２００３−２６３７０３号公報
【発明の概要】
【発明が解決しようとする課題】
【０００７】
特許文献１では、製品の製造工程の過程毎に異なる領域の抜き取り検査を所定回数実施することで、ＨＤＤに存在する全てのセクターを検査するために必要な回数、すなわち、累積で全てのセクターを検査している。したがって、一度に全てのセクターを検査する方法より短時間で済むというわけではない。
【０００８】
また、特許文献２はＨＤＤ装置等のランダムアクセス可能なデバイスのランダム書込み／読出し特性を評価するものであって、記録再生装置の生産ラインでの書込み／読取りに関するものではない。また、特許文献３は定期的又は不定期に磁気ヘッド診断を実施して、特殊な障害（書込不可・不通知障害）の発生を検知するものであって、記録再生装置の生産ラインでの書込み／読取りに関するものではない。
【０００９】
さらに、ＨＤＤの検査では各プラッターに設けられたヘッドが問題なく移動可能かどうかも良否判定の項目となる。
【００１０】
本発明は、製造工程において、ハードディスクドライブの全ての領域を検査する場合よりも短時間でハードディスクドライブの良否判定を行うハードディスクドライブの検査方法を提供することを目的とする。また、該ハードディスクドライブの検査方法を実施する記録再生装置を提供することも目的とする。
【課題を解決するための手段】
【００１１】
上記目的を達成するために本発明は、製造工程におけるハードディスクドライブの検査方法において、全プラッターの各記録面の始端及び終端を含む所定の一部領域について読取り検査した結果からハードディスクドライブの良否判定を行うことを特徴とする。
【００１２】
上記のハードディスクドライブの検査方法において、前記所定の一部領域は、例えば、ハードディスクドライブの容量に対する指定割合に基づいて決定することができる。
【００１３】
上記のハードディスクドライブの検査方法において、前記読取り検査に加え書込み検査を行うようにしてもよい。
【００１４】
また本発明の記録再生装置は、ハードディスクドライブを備え、上記の何れかに記載のハードディスクドライブの検査方法を実行するものである。
【発明の効果】
【００１５】
本発明によると、全プラッターの各記録面の始端及び終端を含む所定の一部領域について読取り検査した結果からＨＤＤの良否判定を行うことにより、ＨＤＤの全ての領域を検査する場合よりも短時間で良否判定することができ、生産性の向上に寄与する。
【００１６】
また、全プラッターの各記録面の始端及び終端を必ず検査しているので、磁気ヘッドが端から端まで問題なく移動可能かどうかの検査も同時に行っていることになり、これも良否判定に含まれる。つまり、本発明の検査方法によれば、磁気ヘッドの動作確認も同時に行うことができる。
【００１７】
さらに、本発明の検査方法によれば、制御部がテストモードで検査を制御しているので、制御部の動作が正常かどうかも良否判定に含まれる。
【図面の簡単な説明】
【００１８】
【図１】本発明のＨＤＤ一体型光ディスク装置の構成を示すブロック図である。
【図２Ａ】ＨＤＤ記録再生部のＨＤＤの概略正面図である。
【図２Ｂ】ＨＤＤ記録再生部のＨＤＤの概略平面図である。
【図３】本発明のＨＤＤ一体型光ディスク装置の製造工程において行うＨＤＤの良否判定に関する動作の一例を示すフローチャートである。
【図４】本発明のＨＤＤ一体型光ディスク装置におけるＨＤＤの容量の概念図である。
【発明を実施するための形態】
【００１９】
以下、ハードディスクドライブ（ＨＤＤ）を搭載した記録再生装置の一例として、ＨＤＤ一体型光ディスク装置を用いて説明する。
【００２０】
図１は、ＨＤＤ一体型光ディスク装置１０の構成を示すブロック図である。ＨＤＤ一体型光ディスク装置１０は、アンテナ（不図示）で受信したデジタルテレビ放送信号を復調、デジタル化するチューナ１６と、チューナ１６や外部装置（不図示）から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、各種設定値をテレビ等の表示装置（不図示）の一部に表示しながら設定できるようにするＯＳＤ（On Screen Display）部２０と、ＯＳＤ部２０からの映像信号をアナログ化し、接続された表示装置へ出力する映像出力部２１と、映像／音声圧縮伸長部１７からの音声信号をアナログ化し、接続された表示装置へ出力する音声出力部２２と、ＲＯＭやＲＡＭからなるメモリ２３と、リモコン（不図示）からの信号を受信するリモコン受信部２４と、外部装置（不図示）が接続される外部入力端子を有する外部Ｉ／Ｆ２５と、ＨＤＤ一体型光ディスク装置１０の各部を制御する制御部２６とを備えている。外部装置とは、ケーブルテレビや衛星放送等のセットトップボックス又はビデオデッキ等の映像音声記録装置に代表される装置である。
【００２１】
次に、ＨＤＤ記録再生部１８のＨＤＤの構成を説明する。図２ＡはＨＤＤ記録再生部１８のＨＤＤの概略正面図、図２ＢはＨＤＤ記録再生部１８のＨＤＤの概略平面図である。
【００２２】
ＨＤＤ３０は、データを記録するための磁性体を両面に塗布した金属製のディスクである３枚のプラッター３１、３２、３３と、プラッター３１、３２、３３を高速回転させるモーター３４と、各プラッター３１、３２、３３の記録面３１ａ、３１ｂ、３２ａ、３２ｂ、３３ａ、３３ｂ上を移動するアーム３５ａ〜３５ｆと、アーム３５ａ〜３５ｆの先端に記録面３１ａ、３１ｂ、３２ａ、３２ｂ、３３ａ、３３ｂに対向して配設されたデータ読み書き用の磁気ヘッド３６ａ〜３６ｆと、磁気ヘッド３６ａ〜３６ｆを任意のトラック上に移動させるためのアクチュエータ３７とを備えている。
【００２３】
そしてＨＤＤ３０は、プラッター３１、３２、３３を一定速度で回転させながら、適切な場所にアーム３５ａ〜３５ｆで磁気ヘッド３６ａ〜３６ｆを移動させてデータを読み書きする。なお、プラッターは１枚以上備えていればよく、記録面が片面のものを用いてもよい。
【００２４】
次に、ＨＤＤ一体型光ディスク装置１０の製造工程において行うＨＤＤの検査方法を説明する。検査方法としては、全プラッターの各記録面の始端（各記録面における最小番号のセクタ）及び終端（各記録面における最大番号のセクタ）を含む所定の一部領域について少なくとも読取り検査した結果からＨＤＤの良否判定を行うこととする。
【００２５】
図３は、ＨＤＤ一体型光ディスク装置１０の製造工程において行うＨＤＤの良否判定に関する動作の一例を示すフローチャートである。ＨＤＤの検査及び良否判定は、ＨＤＤ一体型光ディスク装置１０の製造工程において、少なくともＨＤＤと、検査プログラム及び良否判定プログラムが格納されたメモリ２３と、制御部２６とが実装されている状態で行う。
【００２６】
まず、ステップＳ１０においてテストモードとして制御部２６はメモリ２３の検査プログラムを実行する。そして、ステップＳ１１へ進んで全プラッター３１、３２、３３の各記録面３１ａ、３１ｂ、３２ａ、３２ｂ、３３ａ、３３ｂの始端及び終端を含む所定の一部領域について読取り検査する。読取り検査は、例えば、ＡＴＡ（Advanced Technology Attachment）規格であれば、Read Verifyコマンドでエラーが帰ってこないか確認すればよい。
【００２７】
図４に、ＨＤＤ一体型光ディスク装置１０におけるＨＤＤの容量の概念図を示す。図４では横棒線でＨＤＤの全容量を表している。そして、各記録面３１ａ、３１ｂ、３２ａ、３２ｂ、３３ａ、３３ｂの始端及び終端を含む所定の一部領域４０が斜線部分であり、計１２個ある。
【００２８】
ここで所定の一部領域４０は、例えばＨＤＤの容量に対する指定割合に基づいて決定することができる。例えば、検査時間を半分にするには指定割合は５０％に設計する必要がある。指定割合を５０％とすると、３枚のプラッター３１、３２、３３の場合、所定の一部領域４０の１２の領域はそれぞれ約４．２％ずつとなる。よって、各始端からＨＤＤの容量に対して約４．２％の領域と、各終端までＨＤＤの容量に対して約４．２％の領域とについて読取り検査することになる。ＨＤＤの容量は予め決まっているので、検査する領域はアドレスで指定できる。
【００２９】
なお、ＨＤＤの容量に対して何％検査するかは、判定精度と検査時間とを考慮して設計すればよい。判定精度を上げたければ割合を上げればよいし、検査時間を短くしたければ割合を下げればよい。
【００３０】
一般的なＨＤＤにおいては、全ての磁気ヘッドが互いに固定されており同時に移動する。したがって各磁気ヘッドは、いつでもそれぞれのプラッター上の同じトラック上に位置することになる。この一連のトラックのグループはシリンダーと呼ばれる。このようなＨＤＤの構成の場合、磁気ヘッドをプラッターの内周側と外周側とに移動させれば、全プラッターの各記録面の始端と終端とを検査することができる。
【００３１】
図３の説明に戻り、ステップＳ１１からステップＳ１２へ進んで制御部２６はメモリ２３の良否判定プログラムを実行する。そして、ステップＳ１３へ進んで読取りエラーがあったか否かを判定する。ステップＳ１３において読取りエラーがなかった場合は、ステップＳ１４へ進んでこのＨＤＤは良品であると判定する。一方、ステップＳ１３において読取りエラーがあった場合は、ステップＳ１５へ進んでこのＨＤＤは不良品であると判定する。
【００３２】
なお、１セクターでもエラーがあれば、埃や傷がある可能性があるため、不良品であると判定することが好ましい。この場合、検査中にエラーが見つかった時点で検査を終了すれば、検査時間を短縮できる。
【００３３】
このように、全プラッターの各記録面の始端及び終端を含む所定の一部領域について読取り検査した結果からＨＤＤの良否判定を行うことにより、ＨＤＤの全ての領域を検査する場合よりも短時間で良否判定することができ、生産性の向上に寄与する。
【００３４】
また、全プラッターの各記録面の始端及び終端を必ず検査しているので、磁気ヘッドが端から端まで問題なく移動可能かどうかの検査も同時に行っていることになり、これも良否判定に含まれる。つまり、本発明の検査方法によれば、磁気ヘッドの動作確認も同時に行うことができる。さらに、本発明の検査方法によれば、制御部がテストモードで検査を制御しているので、制御部の動作が正常かどうかも良否判定に含まれる。
【００３５】
なお、本発明の検査方法はＨＤＤの製造工程において行うＨＤＤの検査にも同様に適用できる。その場合、検査プログラムを有する制御装置を接続して検査すればよい。
【００３６】
上記の実施形態では読取り検査のみ行う例について説明したが、適宜書込み検査を行うようにしてもよい。例えば、読込み検査と同じ領域について書込み検査も行うようにしたり、書込み検査はシステム領域のみについて行うようにしたりすることができる。書込み検査は、例えば、ＡＴＡ規格であれば、Writeコマンドにて書き込みエラーがないか確認すればよい。
【産業上の利用可能性】
【００３７】
本発明は、ＨＤＤをはじめ、ＨＤＤを搭載した記録再生装置であるＨＤＤレコーダ、ＨＤＤ一体型光ディスク装置、ＨＤＤ内蔵テレビなどに利用することができる。
【符号の説明】
【００３８】
１０  ＨＤＤ一体型光ディスク装置
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  制御部
【図１】
2012048778.tif 000003
【図２Ａ】
2012048778.tif 000004
【図２Ｂ】
2012048778.tif 000005
【図３】
2012048778.tif 000006
【図４】
2012048778.tif 000007